(57)【要約】【課題】劣化原因に拘わらず寿命判定を的確に行うことのできる照明器具を得る。【解決手段】ランプ１を点灯させる本体２と、ランプ１を覆う透過性のカバー３と、カバー３の透過率を測定する照度センサ４と、照度センサ４の測定結果に基づいてカバー３の寿命を判定する寿命判定回路７と、寿命判定回路７の判定結果に基づいて報知を行う寿命警告報知装置５を備えた。【選択図】図１
2010103026.tif 000002
【特許請求の範囲】
【請求項１】
ランプを点灯させる点灯回路を備えた本体部と、
前記ランプを覆う透過性のカバーと、
前記カバーの透過率を測定する透過率測定手段と、
前記透過率測定手段の測定結果に基づいて前記カバーの寿命を判定する寿命判定手段と、
前記寿命判定手段の判定結果に基づいて報知を行う報知手段とを備えた
ことを特徴とする照明器具。
【請求項２】
前記カバーは光の透過率が他の部位より高くなるように形成された採光部を備え、
前記透過率測定手段は、
前記ランプが発する光を前記カバーを介して受光してその照度に応じた信号を出力する第一の受光手段と、
前記ランプが発する光を前記採光部を介して受光してその照度に応じた信号を出力する第二の受光手段と、
前記第一の受光手段及び第二の受光手段の出力に基づいて前記カバーの透過率を算出する演算手段とを備えた
ことを特徴とする請求項１記載の照明器具。
【請求項３】
前記採光部は、前記カバーに設けられた開口部である
ことを特徴とする請求項２記載の照明器具。
【請求項４】
前記開口部を閉塞する透明部材を備えた
ことを特徴とする請求項３記載の照明器具。
【請求項５】
前記採光部は、前記カバーの厚みを薄くした薄板部である
ことを特徴とする請求項２記載の照明器具。
【請求項６】
前記採光部を前記カバーの周方向に所定の長さで設けた
ことを特徴とする請求項２〜請求項５のいずれかに記載の照明器具。
【請求項７】
前記透過率測定手段を、前記カバーの周方向に移動可能に設けた
ことを特徴とする請求項１〜請求項６のいずれかに記載の照明器具。
【請求項８】
前記ランプの累積動作時間を計時する計時手段を備え、
前記透過率測定手段及び寿命判定手段は、前記計時手段が所定の時間を計時した後に動作を開始する
ことを特徴とする請求項１〜請求項７のいずれかに記載の照明器具。
【請求項９】
ランプを点灯させる本体部と、
前記ランプを覆う透過性のカバーと、
前記カバーの色度を測定する色度測定手段と、
前記色度測定手段の測定結果に基づいて前記カバーの寿命を判定する寿命判定手段と、
前記寿命判定手段の判定結果に基づいて報知を行う報知手段とを備えた
ことを特徴とする照明器具。
【請求項１０】
前記色度測定手段は、
前記カバーに対して信号光を発する発光手段と、
前記カバーを反射若しくは透過した前記信号光を受光してその受光量に応じた信号を出力する受光手段と、
前記受光手段の出力に基づいて前記カバーの色度を算出する演算部とを備えた
ことを特徴とする請求項８記載の照明器具。
【請求項１１】
前記ランプの累積動作時間を計時する計時手段を備え、
前記色度測定手段及び寿命判定手段は、前記計時手段が所定の時間を計時した後に動作を開始する
ことを特徴とする請求項９または請求項１０記載の照明器具。
【発明の詳細な説明】
【技術分野】
【０００１】
本発明は、カバーの寿命を判定することのできる照明器具に関する。
【背景技術】
【０００２】
一般に、照明器具は、カバーや電子部品などが経年的に劣化していき、寿命に達すると照明器具としての機能を十分に果たすことができない。このため、照明器具の寿命を判定して使用者に通知するための技術が提案されている。
【０００３】
このようなものとして、例えば、「ランプを保持するとともに点灯させる器具本体と、ランプの光出力を検出する検出手段を有し、検出手段が受光した光の強度の積算値であるランプからの光量を求める光量計測部と、光量計測部により求められた光量が所定値に達すると器具本体が寿命末期であることを通知する通知部とを備える」ものがある（例えば、特許文献１参照）。
【０００４】
【特許文献１】特開２００６−２３６７１６号公報（第３頁、図１）
【発明の開示】
【発明が解決しようとする課題】
【０００５】
上記特許文献１の技術によれば、光による劣化を判定することができる。しかし、照明器具の劣化は、光のみならず、例えば温度、湿度などによっても生じるので、劣化度合いは照明器具が設置される環境要因に大きく左右される。したがって、器具本体が受けた光のみでは、照明器具の寿命を的確に判定することができない。
【０００６】
本発明は、上述のような課題を解決するためになされたもので、劣化原因に拘わらず寿命判定を的確に行うことのできる照明器具を提供するものである。
【課題を解決するための手段】
【０００７】
本発明に係る照明器具においては、ランプを点灯させる点灯回路を備えた本体部と、前記ランプを覆う透過性のカバーと、前記カバーの透過率を測定する透過率測定手段と、前記透過率測定手段の測定結果に基づいて前記カバーの寿命を判定する寿命判定手段と、前記寿命判定手段の判定結果に基づいて報知を行う報知手段とを備えたものである。
【発明の効果】
【０００８】
本発明に係る照明器具は、カバーの透過率を測定することにより、カバーの寿命を判定している。このため、劣化原因によらず、カバーの寿命を的確に判定することができる。
【発明を実施するための最良の形態】
【０００９】
実施の形態１．
図１は本発明の実施の形態１に係る照明器具１００の一部破断図を含む側面図、図２は図１に示すカバー３の上面図であり、照明器具１００の構成要素の一部を想像線（二点鎖線）で示している。なお、図２では、図１の破断箇所を概略Ａ−Ａ線で表している。また、図３は照明器具１００の機能ブロック図である。本実施の形態１では、天井１０００に直付けされる照明器具１００を例に説明する。
【００１０】
図１〜図３において、照明器具１００にはランプ１が取り付けられており、照明器具１００は、ランプ１を点灯させる点灯回路８を備えた本体２、ランプ１を覆うように設置されたカバー３、本体２の近傍に設置された照度センサ４、寿命警告報知装置５、及び本体２に内蔵された寿命判定回路７を有する。照度センサ４には、ランプ１が発した光を受光する受光素子４１と受光素子４２が設けられている。
【００１１】
ランプ１は、蛍光灯などのランプであり、本体２に取り外し可能に取り付けられている。また、図３に示すように、ランプ１は点灯回路８を介して交流電源２０に接続されており、点灯回路８に制御されて点灯動作を行う。
【００１２】
本体２は、円筒状の外殻を有し、その内部に設けた図示しない保持具によりランプ１を保持している。ランプ１と本体２は電気的に接続されており、本体２に内蔵した点灯回路８によりランプ１に通電してランプ１を点灯させる。
【００１３】
カバー３は、略円形のドーム状に形成され、上面の略中央位置には開口部３１が開口し、開口部３１の周囲は鍔部３２によって閉塞されている。開口部３１は、本体２の円筒状の外周とほぼ同形状である。このように構成されたカバー３は、開口部３１に本体２の下部を嵌合させつつ、図示しない固定具により本体２に固定する。カバー３を本体２に取り付けると、カバー３の内部にランプ１が収容された状態となる。また、カバー３は、乳白色の透過性の樹脂で構成されている。なお、本実施の形態１及び以降の説明において「乳白色」とは、カバー３の色を限定するものではなく、ランプ１の光の色を変化させないために顕著に着色されていないことを規定するものである。
【００１４】
また、カバー３の鍔部３２において、照度センサ４の受光素子４２の真下には、採光部６が開口している。採光部６は、ランプ１によって発せられた光（以下、ランプ光と称する場合がある）が採光部６を通過して受光素子４２によって受光可能な大きさ及び形状で形成されている。本実施の形態１では、採光部６は略円形に形成されている。採光部６は穴が空けられて開口した状態であるので、ランプ光を遮蔽することがなく、カバー３の他の箇所よりもランプ光の透過率が高いといえる。
【００１５】
照度センサ４は、受光素子４１、受光素子４２、及び演算部４３を備える。なお、本発明の透過率測定手段は照度センサ４に、第一の受光素子は受光素子４１に、第二の受光素子は受光素子４２にそれぞれ対応する。
【００１６】
受光素子４１は、ランプ光をカバー３を介して受光する。すなわち、受光素子４１が受光する光は、カバー３を透過したランプ光である。
受光素子４２は、採光部６の真上に配置され、ランプ光を受光する。受光素子４２とランプ１との間には採光部６が開口していて遮蔽物が無いので、受光素子４２はランプ光をそのまま受光することとなる。
また、受光素子４１及び受光素子４２は、受光した光の照度に応じた信号を演算部４３へ出力する。
【００１７】
演算部４３は、受光素子４１及び受光素子４２の出力信号を取得し、受光素子４２の出力値に対する受光素子４１の出力値の割合を求めることで、カバー３の透過率を算出する。そして、算出した透過率を寿命判定回路７へ出力する。
【００１８】
図３に示すように、寿命判定回路７は、照度センサ４と接続されるとともに、点灯回路８、交流電源２０、寿命警告報知装置５に接続されている。
寿命判定回路７は、照度センサ４が測定したカバー３の透過率を取得し、この透過率が所定の閾値に達するとカバー３が寿命に達していると判定する。そして、カバー３が寿命に達していると判定した場合には、寿命警告報知装置５に対して警告報知を指示する信号を出力する。なお、本実施の形態１では寿命判定回路７が本体２に内蔵された場合を例に説明するが、実装形式を限定するものではなく、照度センサ４に内蔵させてもよい。
【００１９】
寿命警告報知装置５は、寿命判定回路７からの指示によりカバー３が寿命に達していることを報知するための報知装置である。寿命警告報知装置５は、パイロットランプなどの視覚的な報知装置、あるいはブザーなどの聴覚的な報知装置のいずれであってもよく、また、視覚的な報知装置と聴覚的な報知装置とを兼ね備えたものであってもよい。視覚的な報知装置を用いる場合には、パイロットランプを点滅、あるいは点灯させて報知を行うことができる。また、聴覚的な報知装置を用いる場合には、ブザー音、あるいは音声メッセージを発して報知を行うことができる。なお、報知方法はこれらに限るものではなく、設置環境や使用者に応じて適切なものを用いることができる。
【００２０】
このように構成した照明器具１００において、使用期間が長くなると、当初乳白色であったカバー３は、ランプ１の光、外光、温度、湿度などの様々な要因により劣化して黄変していく。カバー３が劣化して黄変すると、カバー３におけるランプ光の透過率が低下する。
したがって、カバー３を介してランプ光を受光する受光素子４２の出力値は小さくなる。一方、受光素子４１はカバー３を介さずにランプ光を受光するので、カバー３の劣化によっては出力値は変化しない。寿命判定回路７は、受光素子４２の出力値と受光素子４１の出力値に基づいてカバー３の透過率を算出し、この透過率が所定の閾値まで小さくなると、カバー３が寿命に達しているものと判定し、寿命警告報知装置５を制御して警告報知を行う。
【００２１】
以上のように本実施の形態１に係る照明器具１００によれば、カバー３を介して受光したランプ光とカバー３を介さず受光したランプ光の照度に基づいてカバー３における透過率を算出し、カバー３の寿命を判定している。このため、カバー３の劣化による黄変度合いを直接検出することができ、カバー３に劣化を生じさせた原因に拘わらず、カバー３の寿命を的確に判定することができる。なお、ランプ１の照度は、点灯時間が長くなるにつれて徐々に低下していくが、ランプ１の照度が低下した場合であってもカバー３の寿命判定を適切に行うことができる。
【００２２】
さらに、カバー３が寿命に達していると判定した場合には寿命警告報知装置５により報知を行うようにした。このため、カバー３の寿命を使用者に伝えることができ、カバー３の点検や交換を促すことができる。カバー３の透過率が低下して寿命に達すると、ランプ１を点灯させても室内などを十分に照射することができず、照明器具本来の機能を発揮することができなくなる。しかし、使用者に対して寿命を報知することで、カバー３の透過率が低下してランプ光が十分に供給されない状態で使用者が照明器具１００を使用するのを防ぐことができる。
【００２３】
なお、通常、カバー３の劣化が進むとこれに比例して、本体２に設けられた点灯回路８のソケット等の周辺部品、電機部品、電線等に使用されている樹脂製部材など他の構成要素の劣化も進む。したがって、カバー３の劣化度合いに基づいて上記他の構成要素の寿命も同時に推測することができる。
【００２４】
実施の形態２．
図４は、本発明の実施の形態２に係る照明器具２００の一部破断図を含む側面図であり、採光部６近傍のみ示している。なお、本実施の形態２では、前述の実施の形態１と異なる点を中心に説明し、同様の構成要素には同一の符号を付している。
【００２５】
図４において、採光部６には透明板６１が嵌め込まれており、採光部６の開口部は、透明板６１によって閉塞された状態となっている。透明板６１は透明であり、ガラスあるいは特定の樹脂など、時間が経っても黄変しないあるいは黄変しにくい素材で構成されている。なお、本発明において「透明部材」の「透明」とは、濁りなく完全に透き通った状態のみならず、ランプ光の透過率を損なうことのない状態をも含む。
【００２６】
このように構成した照明器具２００において、受光素子４１はカバー３を介してランプ光を受光し、受光素子４２は透明板６１を介してランプ光を受光する。ここで、透明板６１はランプ光の透過率を損なうことのないよう構成されているので、受光素子４２が受光する光の照度は、ランプ光の照度とほぼ同じである。そして、受光素子４１と受光素子４２は受光した照度に応じた信号を出力し、寿命判定回路７は両者の出力値に基づいてカバー３の透過率を算出する。さらに、カバー３の透過率が所定の閾値に達すると、カバー３が寿命に達しているものと判定し、寿命警告報知装置５を制御して警告報知を行う。
【００２７】
以上のように本実施の形態２に係る照明器具２００によれば、カバー３を介して受光したランプ光と透明板６１を介して受光したランプ光の照度に基づいてカバー３における透過率を算出し、カバー３の寿命を判定している。したがって、前述の実施の形態１と同様の効果を得ることができる。また、採光部６が透明板６１によって閉塞されているので、採光部６を通ってカバー３の内部に虫が侵入するのを防ぐことができ、使用者に不快感を与えるのを防ぐことができる。
【００２８】
なお、本実施の形態２では採光部６を透明板６１で閉塞する場合を例に説明したが、透明板６１の代わりに、カバー３と同じ素材で構成された薄板を用いてもよい。または、カバー３の一部の厚みを削るなどして薄板部を形成してもよい。カバー３と同じ素材であっても薄く構成すればランプ光の透過率が高くなるので、薄板を透過したランプ光とカバー３を透過したランプ光の照度に基づいてカバー３の透過率を算出することができる。このようにしても本実施の形態２と同様の効果を得ることができるとともに、カバー３のデザインを損なうこともない。
【００２９】
実施の形態３．
図５は本発明の実施の形態３に係る照明器具３００の断面図、図６は図５に示すカバー３の上面図であり、照明器具３００の構成要素の一部を想像線（二点鎖線）で示している。なお、図６では、図５の断面箇所をＢ−Ｂ線で表している。本実施の形態３では、前述の実施の形態１及び実施の形態２と異なる点を中心に説明し、同様の構成要素には同一の符号を付している。
【００３０】
図５及び図６において、カバー３の鍔部３２には、カバー３の周方向に沿ってドーナツ状に開口した採光部６Ａが形成され、採光部６Ａには同じくドーナツ状の透明板６１Ａが嵌め込まれている。したがって、採光部６Ａの開口部は、透明板６１Ａによって閉塞された状態となっている。透明板６１Ａは透明であり、ガラスあるいは特定の樹脂など、時間が経っても黄変しないあるいは黄変しにくい素材で構成されている。なお、図５では、説明のために透明板６１Ａを網掛け表示している。
【００３１】
照度センサ４Ａは、前述の実施の形態１及び実施の形態２で述べた照度センサ４と同様の機能を有しているが、受光素子４１及び受光素子４２の配置が異なっている。具体的には、カバー３の中心位置に対して受光素子４１が外側に、受光素子４２が内側になるように配置されている。受光素子４１は、ランプ１の一部とカバー３の一部とが重なる位置の鉛直線上に配置されており、カバー３を介してランプ光を受光可能である。受光素子４２は、ランプ１の一部と採光部６Ａとが重なる位置の鉛直線上に配置されており、採光部６Ａを介してランプ光を受光可能である。また、カバー３の中心位置から受光素子４２までの距離と、カバー３の中心位置から採光部６Ａまでの距離は、ほぼ同じとなっている。
【００３２】
このように構成した照明器具３００において、前述の実施の形態２と同様に、受光素子４１はカバー３を介してランプ光を受光し、受光素子４２は透明板６１Ａを介してランプ光を受光する。そして、受光素子４１と受光素子４２は受光した照度に応じた信号を出力し、寿命判定回路７は両者の出力値に基づいてカバー３の透過率を算出する。さらに、カバー３の透過率が所定の閾値に達すると、カバー３に劣化が生じているものと判定し、寿命警告報知装置５を制御して警告報知を行う。
【００３３】
ここで、カバー３の寿命を的確に判定するためには、カバー３を透過したランプ光を受光可能な位置に受光素子４１が配置され、採光部６Ａを透過した光を受光可能な位置に受光素子４２が配置されている必要がある。ところが、カバー３と本体２との周方向の位置関係は、必ずしも一意に定まるとは限らない。例えば、カバー３を本体２に取り付けた状態でカバー３を周方向に回転可能なタイプのものがある。
【００３４】
このような場合であっても、本実施の形態３に係る照明器具３００によれば、採光部６Ａはカバー３の周方向に沿って形成されているので、本体２とカバー３の位置関係に拘わらず、受光素子４２の真下には採光部６Ａが位置し、受光素子４１の真下にはカバー３が位置することとなる。すなわち、本体２に対してカバー３を周方向に回転させたとしても、受光素子４１は常にカバー３の真上に、受光素子４２は採光部６Ａの真上にそれぞれ位置し、ランプ光を受光することができる。
【００３５】
以上のように本実施の形態３に係る照明器具３００によれば、採光部６Ａをカバー３の周方向に沿ってドーナツ状に設けるとともに、カバー３の中心位置から採光部６Ａまでの距離とほぼ同じ距離に受光素子４２を設けた。このため、カバー３を回転させて本体２に取り付けるタイプのもののようにカバー３と本体２との位置関係が固定されないような場合であっても、採光部６Ａの真上には受光素子４２が位置することとなる。したがって、受光素子４２は採光部６Ａを透過したランプ光を受光することができるので、照度センサ４は、カバー３の寿命を的確に判定することができ、前述の実施の形態２と同様の効果を得ることができる。
【００３６】
さらに、本体２にカバー３を取り付ける際に、受光素子４２と採光部６Ａの位置合わせをする必要がないので、取り付け作業を容易に行うことができる。通常、照明器具３００は天井面等の高い位置に取り付けられるとともにカバー３が大きいので、取り付け時の位置合わせは困難な場合が多い。このような場合でも、本実施の形態３に係る照明器具３００によれば、本体２へのカバー３の取り付け作業が容易である。
【００３７】
なお、本実施の形態３では、採光部６Ａをドーナツ状に設ける場合の例について説明したが、採光部６Ａの形状はこれに限るものではない。たとえば、カバー３の周方向に沿ってカーブする扇形にしてもよい。このようにしても、本体２にカバー３に取り付ける際は大まかな位置合わせをするだけでよいので、取り付け作業を容易に行うことができる。
【００３８】
実施の形態４．
図７は、本発明の実施の形態４に係る照明器具４００の一部破断図を含む側面図である。なお、本実施の形態４では、前述の実施の形態１と異なる点を中心に説明し、同様の構成要素には同一の符号を付している。
【００３９】
図７において、本体２の側面部には、カバー３の周方向に沿って所定長さのレール１０が設けられている。また、照度センサ４において、本体２に取り付けられる側の側面には、レール１０に嵌合されて摺動可能な摺動体（図示せず）と、該摺動体をレール１０に固定するための固定具（図示せず）が設けられている。照度センサ４は、摺動体とレール１０により本体２の側面上をカバー３の周方向に移動可能であるとともに、レール１０上の任意の位置で固定可能となっている。
【００４０】
このように構成した照明器具４００においては、受光素子４２が採光部６の真上に位置するように照度センサ４を移動させて固定することができる。したがって、カバー３を回転させて本体２に取り付けるタイプのもののようにカバー３と本体２との位置関係が固定されないような場合であっても、照度センサ４を移動させることで受光素子４２が採光部６の真上に配置される。このため、受光素子４２は採光部６を通過したランプ光を受光することができるので、照度センサ４はカバー３の寿命を的確に判定することができる。そして、前述の実施の形態３と同様に、本体２へのカバー３の取り付け作業を容易に行うことができる。
【００４１】
実施の形態５．
前述の実施の形態１では、照度センサを用いてカバーの寿命を判定していた。本実施の形態５では、色度センサを用いてカバーの寿命を判定する場合の例について説明する。
【００４２】
図８は、本発明の実施の形態５に係る照明器具５００の一部破断図を含む側面図、図９は図８に示すカバー３Ａの上面図であり、照明器具５００の構成要素の一部を想像線（二点鎖線）で示している。なお、図９では、図８の破断箇所を概略Ｃ−Ｃ線で表している。本実施の形態５では、前述の実施の形態１と異なる点を中心に説明し、同様の構成要素には同一の符号を付している。
【００４３】
図８、図９において、照明器具５００はカバー３Ａを備えており、本体２の近傍には色度センサ９が取り付けられている。
【００４４】
カバー３Ａは、乳白色の透過性の樹脂で構成され、略円形のドーム状に形成されている。カバー３Ａの上面の略中央位置には開口部３１Ａが開口し、開口部３１Ａの周囲は鍔部３２Ａによって閉塞されている。開口部３１Ａは、本体２の円筒状の外周とほぼ同形状である。なお、前述の実施の形態１と異なり、カバー３Ａには採光部が設けられていない。このように構成されたカバー３Ａは、開口部３１Ａに本体２の下部を嵌合させつつ、図示しない固定具により本体２に固定する。カバー３Ａを本体２に取り付けると、カバー３Ａの内部にランプ１が収容された状態となる。
【００４５】
色度センサ９は、発光素子９１、受光素子９２、及び演算部９３を備えた、反射型の光電センサである。また、本体２の内部には、色度センサ９に接続された寿命判定回路１２を備えている。発光素子９１は信号光Ｐを発し、受光素子９２はカバー３Ａを反射した反射光Ｑを受光する。発光素子９１が発する信号光Ｐは、カバー３Ａで反射しやすい特定の色（例えば、赤、青、緑等、あるいはこれらの組み合わせ）の光であり、カバー３Ａの色に応じて適宜定めることができる。受光素子９２は、受光した反射光Ｑの受光量に応じた信号を演算部９３に対して出力する。演算部９３は、受光素子９２の出力信号に基づいて、カバー３Ａの色度を算出する。そして、算出した色度を寿命判定回路１２へ出力する。
【００４６】
寿命判定回路１２は、カバー３Ａに劣化が生じていない状態での反射光Ｑの色度を基準値として記憶しており、寿命判定回路１２は色度センサ９が測定したカバー３Ａの色度と予め記憶している基準値とを比較し、両者の差異が所定の閾値を超えたときにカバー３Ａが劣化による黄変により寿命に達していると判定する。
【００４７】
このように構成した照明器具５００において、使用期間が長くなると、当初乳白色であったカバー３Ａは、ランプ１の光、外光、温度、湿度などの様々な要因により劣化して黄変していく。カバー３Ａが劣化して黄変すると、受光素子９２が受光する反射光Ｑの色が変化して受光素子９２の出力値も変化するので、寿命判定回路１２はカバー３Ａの色度と基準値とを比較することでカバー３Ａに色の変化が生じていることを判別できる。そして、寿命判定回路１２は、カバー３Ａの出力値と基準値との差異が所定の閾値を超えた場合にカバー３Ａが寿命に達しているものと判定し、寿命警告報知装置５を制御して警告報知を行う。
【００４８】
以上のように本実施の形態５に係る照明器具５００によれば、色度センサ９を用いてカバー３Ａの色の変化を検出し、カバー３Ａの寿命を判定している。このため、カバー３Ａに劣化を生じさせた原因に拘わらず、カバー３Ａの劣化を的確に判定することができる。また、カバー３Ａに劣化が生じていると判定した場合には寿命警告報知装置５により報知を行うようにした。このため、カバー３Ａの劣化を使用者に伝えることができ、カバー３Ａの点検や交換を促すことができる。したがって、カバー３Ａの透過率が低下してランプ光が十分に供給されない状態で使用者が照明器具１００を使用するのを防ぐことができる。
【００４９】
なお、本実施の形態５で説明した色度センサと、前述の実施の形態１〜実施の形態３で説明した照度センサを併せて用い、カバーの寿命を判定することとしてもよい。すなわち、色度センサによってカバーの色を判別するとともに、照度センサによってカバーの透明度を判別し、両判別結果によってカバーの寿命を判定する。このようにすることで、より正確にカバーの寿命を判定することができる。
【００５０】
また、本実施の形態５では色度センサ９が反射型の光電センサである場合を例に説明したが、色度センサ９の構成はこれに限るものではなく、カバー３の色度を測定できるものであればよい。たとえば、透過型の光電センサを用いることもでき、同様の効果を得ることができる。
【００５１】
実施の形態６．
図１０は、本発明の実施の形態６に係る照明器具６００の機能ブロック図である。図１０は、前述の実施の形態１で述べた図３とほぼ同じ構成であるが、動作時間計測回路１１を設けた点、及び寿命判定回路７が動作時間計測回路１１に接続されている点が異なる。以下、前述の実施の形態１と異なる点を中心に説明する。
【００５２】
動作時間計測回路１１は、点灯回路８と寿命判定回路７とに接続されるとともに、交流電源２０に接続されている。動作時間計測回路１１は、点灯回路８がランプ１を点灯させるときの信号を検出することによって、ランプ１の累積動作時間を計時する。ランプ１は時間の経過とともに照度が低下して寿命時間（例えば６０００時間）が経過すると交換が必要となるが、ランプ１が交換されたか否かに拘わらず、動作時間計測回路１１は継続して累積動作時間を計時する。そして、累積動作時間が予め記憶された所定時間（例えば４００００時間）を超えたときに、寿命判定回路７及び照度センサ４への通電を開始する。
【００５３】
このように構成した照明器具６００において、ランプ１が点灯されると、動作時間計測回路１１はランプ１の累積動作時間を計時する。累積動作時間が所定時間に達していないときには、寿命判定回路７及び照度センサ４への通電が行われず、寿命判定回路７及び照度センサ４は動作を行わない。
累積動作時間が所定時間に達すると、動作時間計測回路１１は寿命判定回路７及び照度センサ４への通電を開始する。そして、受光素子４１と受光素子４２がランプ光を受光するとともに受光したランプ光に応じた信号を出力するので、寿命判定回路７はこの出力値に基づいてカバー３の寿命を判定する。寿命判定動作及び寿命に達しているときの警告報知動作については前述の実施の形態１で述べたのと同様である。
【００５４】
以上のように本実施の形態６に係る照明器具６００によれば、ランプ１の累積動作時間が所定時間に達するまではカバー３の寿命判定を行わず、累積動作時間が所定時間を超えたときにカバー３の寿命判定を行うようにした。このため、照度センサ４及び寿命判定回路７の動作時間を短くすることができ、消費電力を低減させることができる。加えて、前述の実施の形態１で述べたのと同様の効果も得ることができる。
【００５５】
また、本実施の形態６は、前述の実施の形態２〜実施の形態５のいずれとも組み合わせることもでき、同様の効果を得ることができる。
【００５６】
なお、上記説明では、寿命警告報知装置を設けてカバーの寿命を警告報知していたが、ランプの光によって警告報知を行うこととしてもよい。例えば、カバーが寿命に達した場合には、ランプを点灯させる際に最初に数回ランプを点滅させることで、使用者に警告報知を行うことができる。このようにすれば、別途寿命警告報知装置が不要で簡易な構成とすることができ、上記と同様の効果を得ることができる。
【００５７】
また、上記説明では略円形のドーム状に形成されたカバーを有する照明器具であって天井面等に直付けされるものを例に説明したが、カバーの形状及び照明器具の取付方法はこれに限るものではない。本発明は、例えば吊り下げ型の照明器具や、方形状やその他各種形状のカバーを有する照明器具に適用することもでき、同様の効果を得ることができる。
【図面の簡単な説明】
【００５８】
【図１】本発明の実施の形態１を示す照明器具の一部破断図を含む側面図である。
【図２】本発明の実施の形態１を示すカバーの上面図である。
【図３】本発明の実施の形態１を示す照明器具の機能ブロック図である。
【図４】本発明の実施の形態２を示す照明器具の一部破断図を含む側面図である。
【図５】本発明の実施の形態３を示す照明器具の断面図である。
【図６】本発明の実施の形態３を示すカバーの上面図である。
【図７】本発明の実施の形態４を示す照明器具の一部破断図を含む側面図である。
【図８】本実施の形態の形態５を示す照明器具の一部破断図を含む側面図である。
【図９】本実施の形態の形態５を示すカバーの上面図である。
【図１０】本発明の実施の形態６を示す照明器具の機能ブロック図である。
【符号の説明】
【００５９】
１  ランプ、２  本体、３  カバー、４  照度センサ、５  寿命警告報知装置、６  採光部、７  寿命判定回路、８  点灯回路、４１  受光素子、４２  受光素子、４３  演算部、１００  照明器具。
【図１】
2010103026.tif 000003
【図２】
2010103026.tif 000004
【図３】
2010103026.tif 000005
【図４】
2010103026.tif 000006
【図５】
2010103026.tif 000007
【図６】
2010103026.tif 000008
【図７】
2010103026.tif 000009
【図８】
2010103026.tif 000010
【図９】
2010103026.tif 000011
【図１０】
2010103026.tif 000012